(57)【要約】      （修正有）【課題】要保冷物品の配送・仕分けの際の温度管理が徹底でき、仕分けが簡便に行なえると共に、蓄冷剤が効率よく使用できる配送用保冷容器・保冷コンテナセットを提供する。【解決手段】真空断熱材１を、二重壁面間に充填した断熱壁で全壁面を形成した略長方体状の保冷コンテナ３を設け、保冷コンテナ３に少なくとも６個を収容可能な大きさの保冷容器４を、前記同様に真空断熱材１が二重壁面間に充填された断熱壁５で壁面を形成して設ける。保冷コンテナ３は保冷容器４を出し入れ可能な戸扉を有し、保冷コンテナ３の内側上部に棚７を設けて蓄冷剤８を載置し、保冷容器４の上蓋の内側に懸垂された引出し型のトレー１０を設け、この中に蓄冷剤１１を保持した配送用保冷容器・保冷コンテナセットとする。保冷コンテナ３を自動車や船舶、列車等の車両に積み込んで要保冷物品の配送・仕分けの際の温度管理が簡便に行なえる。【選択図】図３
0003191286.tif 000002
【実用新案登録請求の範囲】
【請求項１】
繊維製芯材を封入した気密性袋体の内部を減圧した真空断熱材を設け、この真空断熱材が二重壁面間に充填された断熱壁で壁面を形成した保冷コンテナを設け、この保冷コンテナに１以上収容可能な大きさの保冷容器を、前記断熱壁でその壁面を形成して設け、前記保冷コンテナは前記保冷容器を出し入れ可能な戸扉を有し、前記保冷コンテナおよび前記保冷容器の内側上部に蓄冷剤を保持してなる配送用保冷容器・保冷コンテナセット。
【請求項２】
上記保冷コンテナの底壁外側にキャスターを取り付けた請求項１記載の配送用保冷容器・保冷コンテナセット。
【請求項３】
上記蓄冷剤が、−３０℃〜室温未満に冷却されたものであり、保冷物品を収容した上記保冷容器を１以上の上記保冷コンテナに収容し、この保冷コンテナを車両に積み込んで配送する際に用いる請求項１または２に記載の配送用保冷容器・保冷コンテナセット。
【考案の詳細な説明】
【技術分野】
【０００１】
この考案は、食品その他の要保冷物品を配送する際に用いる配送用保冷容器・保冷コンテナセットに関する。
【背景技術】
【０００２】
一般に、食品その他の要保冷物品を配送する際に、物品の鮮度その他の品質維持のために保冷配送サービスが行われている。
【０００３】
このような保冷配送とそのために用いる保冷容器として、折り畳み式保冷容器が知られており、この容器の壁面は、シート材に平板状の真空断熱材を内包して形成されたものであり、容器の周壁に沿って蓄冷剤を保持したものが知られている（特許文献１）。
【０００４】
通常、集荷された物品を配送する過程では、最初に集荷された際に大まかな区域別に仕分けされ、各区域の配送センターに輸送された後、再度、細分化された区域別に仕分けされることが多く、要保冷物品の仕分け作業をする度に、大型低温仕分け室が必要になる。
【先行技術文献】
【特許文献】
【０００５】
【特許文献１】特開２００６−１２３９１４号公報
【考案の概要】
【考案が解決しようとする課題】
【０００６】
しかし、上記した従来の保冷容器と、これを用いた配送方法では、単に食品その他の要保冷物品を配送する際に、１以上の要保冷物品をまとめて容器内に保冷しているに過ぎず、要保冷物品は、配送に伴う仕分けの度に外気に触れやすいから、温度管理を徹底して行なうことが容易でなく、蓄冷剤の使用効率が悪く要保冷物品に対する冷却効率が良くないという問題点がある。
【０００７】
また、保冷容器に周壁に保持された蓄冷剤は、保冷容器内の全体を均一に効率よく冷やすことは困難であり、特に保冷容器内の上部空間に冷気を保持し難いという問題点もある。
【０００８】
そこで、この考案の課題は、上記した問題点を解決して、要保冷物品の配送・仕分けの際の温度管理が徹底でき、仕分けが簡便に行なえると共に、蓄冷剤が効率よく使用できるようにすることである。
【課題を解決するための手段】
【０００９】
上記の課題を解決するために、この考案においては、繊維製芯材を封入した気密性袋体の内部を減圧した真空断熱材を設け、この真空断熱材が二重壁面間に充填された断熱壁で壁面を形成した保冷コンテナを設け、この保冷コンテナに１以上収容可能な大きさの保冷容器を、前記断熱壁でその壁面を形成して設け、前記保冷コンテナは前記保冷容器を出し入れ可能な戸扉を有し、前記保冷コンテナおよび前記保冷容器の内側上部に蓄冷剤を保持してなる配送用保冷容器・保冷コンテナセットとしたのである。
【００１０】
上記したように構成されるこの考案の配送用保冷容器・保冷コンテナセットは、保冷容器および保冷コンテナの両方に、その壁面は真空断熱材を二重壁面間に充填した断熱壁で形成され、真空断熱材が、繊維製芯材を封入した気密性袋体の内部を減圧している構造によって、比較的薄肉の断熱壁でありながら優れた断熱性を有する。
【００１１】
また、保冷コンテナおよび保冷容器の内側上部に蓄冷剤を保持していることにより、蓄冷剤で冷やされた空気が、保冷コンテナおよび保冷容器の内側上部から下部に下降し、また保冷容器内の物品や保冷コンテナ底部からの放熱により温められた空気は上昇して対流するので、蓄冷剤の冷却効果は保冷コンテナおよび保冷容器の全体に及ぶのでこれらの内部空間の全体を均一に効率よく冷やすことができる。
【００１２】
また、保冷コンテナは戸扉から保冷容器を適宜に出し入れでき、その際、保冷容器内の物品は常温の外気に触れることなく断熱され、かつ常に蓄冷剤で保冷された状態なので、複数の保冷コンテナから任意の保冷容器を取り出し、配送先などの目的に応じて保冷容器をまとめて保冷コンテナに仕分けする際に、低温に管理された仕分け室以外の場所でも保冷状態で仕分けすることが可能になる。
【００１３】
保冷コンテナを移動させるに当たり、できるだけ作業容易で簡便であるように、上記保冷コンテナの底壁外側にキャスターを取り付けた配送用保冷容器・保冷コンテナセットとすることが好ましい。
【００１４】
また、できるだけ低温で車両を用いて迅速に配送するために、上記蓄冷剤が、−３０℃〜室温未満に冷却されたものであり、保冷物品を収容した上記保冷容器を１以上の上記保冷コンテナに収容し、この保冷コンテナを車両に積み込んで配送する際に用いる上記の配送用保冷容器・保冷コンテナセットとすることが好ましい。
【考案の効果】
【００１５】
この考案の配送用保冷容器・保冷コンテナセットは、二重壁面間に真空断熱材が充填された断熱壁でもって壁面を形成した保冷コンテナおよび保冷容器を設け、保冷コンテナに保冷容器を１以上収容し、前記保冷コンテナおよび前記保冷容器の内側上部に蓄冷剤を保持したので、保冷コンテナから保冷容器を適宜に出し入れする際、保冷容器内の物品は常温の外気に触れることなく断熱され、かつ常に蓄冷剤で効率よく保冷された状態であり、要保冷物品の配送・仕分けの際の温度管理が徹底でき、仕分けが簡便に行なえると共に、蓄冷剤が効率よく使用できるという利点がある。
【図面の簡単な説明】
【００１６】
【図１】この考案の実施形態の保冷容器を収容した保冷コンテナの正面図
【図２】上記実施形態に用いる真空断熱材の断面図
【図３】図１の断面図
【図４】図３のＩＶ-ＩＶ線断面図
【図５】この考案の実施形態の保冷容器の平面図
【図６】図５のＶＩ−ＶＩ線断面図
【図７】図５のＶＩＩ−ＶＩＩ線断面図
【考案を実施するための形態】
【００１７】
この考案の実施形態を以下に添付図面に基づいて説明する。
図１〜４に示すように、実施形態は、真空断熱材１を、二重壁面間に充填した断熱壁２で全壁面を形成した略長方体状の保冷コンテナ３を設け、保冷コンテナ３に少なくとも６個を収容可能な大きさの保冷容器４を、前記同様に真空断熱材１を、二重壁面間に充填した断熱壁５で壁面を形成して設け、保冷コンテナ３は保冷容器４を出し入れ可能な開き戸６からなる戸扉を有し、保冷コンテナ３の内側上部に棚７を設けて蓄冷剤８を載置し、保冷容器４の上蓋の内側に懸垂された引出し型のトレー１０を設け、この中に蓄冷剤１１を保持した配送用保冷容器・保冷コンテナセットである。
【００１８】
図２に示すように、真空断熱材１は、ガラス繊維等からなる繊維製芯材１２をプラスチックや金属箔ラミネートフィルム製の２枚のシート１３の間に真空包装して周囲を気密に熱溶着することにより封入し、すなわち、シートからなる気密性袋体の内部を真空度１〜１０Ｐａ程度に減圧して気体の熱伝導を低減させた真空断熱材１としたものである。
【００１９】
このような真空断熱材１は、例えば厚さ１〜２０ｍｍ程度の薄肉に製造したものでは、保冷容器内を所定量のドライアイスで冷却して−２０℃以下に保持できる時間から評価される保冷効果において、同じ厚さの発泡ポリスチレン製の成形箱に比べて約２．５倍の保冷効果を有している。
【００２０】
断熱壁２は、真空断熱材１を二重の壁２ａ間に充填した素材であり、壁２ａを構成する素材としては、その材質を特に限定されるものではなく、比較的軽量で機械的強度の優れたアルミニウム合金やステンレス鋼板などの金属板、ポリオレフィン樹脂、アクリル樹脂、ポリスチレン樹脂、ウレタン樹脂などのプラスチック、または木質の合板、コルク、パーティクルボードなどの木質系素材などが好適なものとして挙げられる。
【００２１】
図１、３、４に示した保冷コンテナ３は、真空断熱材１を二重の合板製の壁２ａ間に充填した断熱壁２を素材として、略長方体状の保冷コンテナの躯体を作製したものであり、正面の略全面を開閉可能な開き戸６を蝶番１４で開閉可能に設け、底壁外面の４隅にはキャスター１５を取り付けて、簡便に搬送可能な配送用保冷容器・保冷コンテナセットとしている。別途設けた移動用のキャスター付きの台車に嵌る構造などを底壁外面に採用してもよい。
【００２２】
また、図１、３、４の他、図５〜７に詳細を示す保冷容器は、真空断熱材１を二重のプラスチック製の大小２つの上面開口容器形の壁５ａ面間に充填した断熱壁５を有するものであり、上面開口には蝶番１６によって二つ折りにして開閉可能な上蓋９を設けている。
【００２３】
この上蓋９は、前記した断熱壁５で形成されているが、その下面にはコ字型の懸垂用レール１７を固定して設け、この懸垂用レール１７の縁に懸垂して案内される引出し型のトレー１０を設けている。そして、このトレー１０の中に複数の蓄冷剤１１を保持している。
【００２４】
蓄冷剤８、１１は、特に限定された材料からなるものに制限されるものではなく周知な材料を用いることができ、水やポリビニルアルコールなどと高吸水性樹脂の混合物であって、例えば水を主成分とし、これに凝固点降下剤、ゲル化剤、保存料等を配合した比較的流動性のよい液状の蓄冷剤をプラスチック製などの液密性の袋状容器に封入されたものなどを適用できる。
【００２５】
このような実施形態の配送用保冷容器・保冷コンテナセットは、例えば−３０℃〜室温未満に冷却された蓄冷剤を用い、冷凍食品や冷蔵食品等の保冷物品を収容した複数の保冷容器４を保冷コンテナ３に収容し、この保冷コンテナ３を自動車や船舶、列車等の車両に積み込んで配送する際に用いることができ、要保冷物品の配送・仕分けの際の温度管理が徹底でき、仕分けが簡便に行なえると共に、蓄冷剤が効率よく使用できるものである。
【符号の説明】
【００２６】
１  真空断熱材
２、５  断熱壁
３  保冷コンテナ
４  保冷容器
６  開き戸
７  棚
８、１１  蓄冷剤
９  上蓋
１０  トレー
１２  繊維製芯材
１３  シート
１４、１６  蝶番
１５  キャスター
１７  懸垂用レール
【図１】
0003191286.tif 000003
【図２】
0003191286.tif 000004
【図３】
0003191286.tif 000005
【図４】
0003191286.tif 000006
【図５】
0003191286.tif 000007
【図６】
0003191286.tif 000008
【図７】
0003191286.tif 000009
【手続補正書】
【提出日】平成26年4月8日(2014.4.8)
【手続補正１】
【補正対象書類名】実用新案登録請求の範囲
【補正対象項目名】全文
【補正方法】変更
【補正の内容】
【実用新案登録請求の範囲】
【請求項１】
繊維製芯材を封入した気密性袋体の内部を減圧した真空断熱材を設け、この真空断熱材が二重壁面間に充填された断熱壁で壁面を形成した保冷コンテナを設け、この保冷コンテナに１以上収容可能な大きさの保冷容器を、前記断熱壁でその壁面を形成して設け、前記保冷コンテナは前記保冷容器を出し入れ可能な戸扉を有し、前記保冷コンテナおよび前記保冷容器の内側上部に蓄冷剤を保持してなる配送用保冷容器・保冷コンテナセット。
【請求項２】
上記保冷コンテナの底壁外側にキャスターを取り付けた請求項１記載の配送用保冷容器・保冷コンテナセット。
【請求項３】
上記蓄冷剤が、−３０℃〜室温未満に冷却されたものであり、保冷物品を収容した上記保冷容器の１以上を上記保冷コンテナに収容し、この保冷コンテナを車両に積み込んで配送する際に用いる請求項１または２に記載の配送用保冷容器・保冷コンテナセット。